(57)【要約】【課題】本発明は、刊行物の部分を閲覧することを妨げることなく、この刊行物に添付されるディスクの抜き盗りを防止する盗難防止ピース付ディスクケースを提供する。【解決手段】盗難防止ピース付ディスクケース１は、収納部２と保持爪３ａ，３ｂ，３ｃと切欠部４と塞ぎ部材６と係止片７と結合片１５とを備える。切欠部４は、収納部２に収まったディスク２００の縁２０１に指を掛けるべく収納部２の外周縁２ａから外側に形成される。塞ぎ部材６は、切欠部４を覆って取外し可能に装着される。係止片７は、塞ぎ部材６から収納部２の内側に向かって延びてディスク２００の縁２０１が収納部２から持ち上がる取出方向Ｒの動きを止める。結合片１５は、収納部２の外周縁２ａよりも外側に向かって延びて塞ぎ部材６の取出方向Ｒの動きを規制する。【選択図】      図５
2005306422.tif 000002
【特許請求の範囲】
【請求項１】
ディスクの外形に合せて凹設された収納部と、
前記収納部の外周縁から中央に向かって突出して前記収納部に収まったディスクの縁と係合する保持爪と、
前記収納部に収まったディスクの縁に指を掛けるべく前記収納部の外周縁から外側に形成される切欠部と、
前記切欠部を覆って取外し可能に装着される塞ぎ部材と、
前記塞ぎ部材から前記収納部の内側に向かって延びて前記ディスクの縁が前記収納部から持ち上がる取出方向の動きを止める係止片と、
前記収納部の外周縁よりも外側に向かって延びて前記塞ぎ部材の前記取出方向の動きを規制する結合片と
を備えることを特徴とする盗難防止ピース付ディスクケース。
【請求項２】
前記塞ぎ部材は、前記結合片と嵌合する枠部と、この枠部の開口部を遮る塞ぎ板と、を備えることを特徴とする請求項１に記載の盗難防止ピース付ディスクケース。
【請求項３】
前記塞ぎ部材を前記切欠部から取除く開封操作中に摘まれる摘み部を前記塞ぎ部材の一部に備えることを特徴とする請求項２に記載の盗難防止ピース付ディスクケース。
【請求項４】
前記塞ぎ板は、２ヶ所の傾転部で前記枠部の内周面に支持されることを特徴とする請求項２に記載の盗難防止ピース付ディスクケース。
【請求項５】
前記塞ぎ板の外周は、前記傾転部以外の少なくとも１か所の連結部で前記枠部と接続されており、開封操作によって前記連結部が破断されることを特徴とする請求項４に記載の盗難防止ピース付ディスクケース。
【請求項６】
前記塞ぎ部材を前記切欠部から取除く開封操作中に摘まれる摘み部を前記塞ぎ部材の一部に備え、
前記摘み部は、前記傾転部を結ぶ揺動軸線を境に前記塞ぎ板の一方に設けられ、前記塞ぎ板の他方を押し込むことで前記枠部から突出することを特徴とする請求項４に記載の盗難防止ピース付ディスクケース。
【請求項７】
前記塞ぎ板は、柔軟性を有し、前記摘み部から前記揺動軸線に近づくにつれて板厚が徐々に薄く形成されていることを特徴とする請求項６に記載の盗難防止ピース付ディスクケース。
【請求項８】
少なくとも１つの前記保持爪は、前記収納部に収まった前記ディスクの半径方向に変位可能で前記収納部の内側に向かって付勢する支持部に設けられ、
前記切欠部および前記塞ぎ部材は、前記収納部の内側に向かって半径方向に付勢される前記保持爪に対して前記ディスクを介して対称となる範囲に配置されることを特徴とする請求項１に記載の盗難防止ピース付ディスクケース。
【請求項９】
前記収納部に収められたディスクのセンターホールに前記収納部側から装着されてこのセンターホールを塞ぐ封止片を備えることを特徴とする請求項１に記載の盗難防止ピース付ディスクケース。
【請求項１０】
前記封止片は、前記センターホールに遊嵌することを特徴とする請求項９に記載の盗難防止ピース付ディスクケース。
【発明の詳細な説明】
【技術分野】
【０００１】
本発明は、ディスク形状の情報記録媒体をその収納部から容易に取り出せなくするディスク盗難防止ピースが装着された盗難防止ピース付ディスクケースに関する。
【背景技術】
【０００２】
コンパクトディスク（以降ＣＤとする）やデジタルビデオディスク（以降ＤＶＤとする）等、ディスク形状の情報記録媒体は、そのディスクに納められた情報に関連する説明などを記載した冊子とともに、専用のディスクケースに入れられ、透明なフィルムで包装されて販売されている。ディスクケースは、読取り面を好適に保護した状態でＣＤやＤＶＤを保管することができる。
【０００３】
また、パーソナルコンピュータのプログラムデータを収録したＣＤをその解説本に添付したり、写真集にその動画を収録したＤＶＤを添付したり、雑誌の付録としてＣＤやＤＶＤを添付したりする場合がある。このようなディスクを破損や盗難から守るため、本とともに製本される収納ケースがある（例えば、特許文献１参照。）。この収納ケースは、ディスクをボール紙の間に挟み込んでいる。最初にディスクを取り出す場合、ボール紙に設けられたミシン目に沿って切り裂いて開封される。
【特許文献１】特開平８−２５７２号公報
【発明の開示】
【発明が解決しようとする課題】
【０００４】
ディスクケースをフィルムで包装している場合、包装しているフィルムを破って開封しない限りディスクケースからディスクのみを抜き盗られるということはないが、ＣＤやＤＶＤを購入する前に、ディスクケースに入れられた冊子を閲覧することはできない。
【０００５】
また、本や雑誌などに製本される収納ケースは、ボール紙に設けられたミシン目に沿ってうまく開封されなかった場合、その後の見栄えが悪くなる。また、紙面を捲り上げる方向に蓋部を起すので、開閉を繰り返すとボール紙に形が付いて蓋部の閉まりが悪くなり、ディスクの保護や保管の状態が悪くなる。
【０００６】
そこで、本発明は、刊行物の部分を閲覧することを妨げることなく、この刊行物に添付されるディスクの抜き盗りを防止する盗難防止ピース付ディスクケースを提供することを目的とする。
【課題を解決するための手段】
【０００７】
本発明に係る盗難防止ピース付ディスクケースは、収納部と保持爪と切欠部と塞ぎ部材と係止片と結合片とを備える。収納部は、ディスクの外形に合せて凹設される。保持爪は、収納部の外周縁から中央に向かって突出して収納部に収まったディスクの縁と係合する。切欠部は、収納部に収まったディスクの縁に指を掛けるべく収納部の外周縁から外側に形成される。塞ぎ部材は、切欠部を覆って取外し可能に装着される。係止片は、塞ぎ部材から収納部の内側に向かって延びてディスクの縁が収納部から持ち上がる取出方向の動きを止める。結合片は、収納部の外周縁よりも外側に向かって延びて塞ぎ部材の取出方向の動きを規制する。
【０００８】
この場合、開封操作を行なわない限り塞ぎ部材を切欠部から容易に取外せないようにするために、塞ぎ部材は、結合片と嵌合する枠部と、この枠部の開口部を遮る塞ぎ板とを備える。塞ぎ部材を切欠部から取外す開封操作を行ないやすくするために、開封操作中に摘まれる摘み部を塞ぎ部材の一部に備える。
【０００９】
開封操作を容易にするために、塞ぎ板は、２か所の傾転部で枠部の内周面に支持する。また、塞ぎ板の外周は、傾転部以外の少なくとも１か所の連結部で枠部と接続し、開封操作によって連結部が破断される構造にする。摘み部は、傾転部を結ぶ揺動軸線を境に塞ぎ板の一方に設け、塞ぎ板の他方を押し込むことで枠部から突出させる。塞ぎ板は、柔軟性を有し、摘み部から揺動軸線に近づくにつれて板厚を徐々に薄く形成する。
【００１０】
ディスクをより確実に保持するために、少なくとも１つの保持爪は、収納部に収まったディスクの半径方向に変位可能で収納部の内側に向かって付勢する支持部に設けられ、切欠部および塞ぎ部材は、収納部の内側に向かって半径方向に付勢される保持爪に対してディスクを介して対称となる範囲に配置する。また、収納部に収められたディスクに指を掛けられないようにするために、ディスクのセンターホールに封止片を装着する。封止片は、収納部側から装着されてこのセンターホールを塞ぐ。特に、ディスクに歪を与えないために、封止片は、センターホールに遊嵌させる。
【発明の効果】
【００１１】
本発明に係る盗難防止ピース付ディスクケースによれば、ディスクに指を掛けるべく収納部の外周縁に形成された切欠部を塞ぎ部材によって覆ってしまうので、ディスクを収納部から容易に取外すことができない。つまり、ディスクを抜き盗られることを防止することができる。また、収納部からディスクを取出す方向に塞ぎ部材の動きを規制する結合片を備える。つまり、塞ぎ部材と収納部とが構造的に係合している。したがって、収納部と塞ぎ部材との位置関係が安定して決まり、製品ごとにばらつくことが無い。
【００１２】
塞ぎ部材は、枠部と塞ぎ板とを備えるので、ディスク盗難防止ピースが切欠部にしっかりと固定されかつ開封操作を行なわない限り取外せない。塞ぎ板は、２か所の傾転部で枠部に支持されているので、傾転部を結ぶ揺動軸線を境に一方を押し込むと他方が容易に突出してくる。開封操作を行なう場合は、突出してくる側を摘み部として塞ぎ部材を切欠部から取除く。これにより、盗難防止ピース付ディスクケースは、ディスクを容易に取り出すことができる開封状態となる。
【００１３】
塞ぎ板は、傾転部以外の少なくとも１か所の連結部で接続されている。この連結部は、開封操作を行なうことによって切断されるので、不正行為が行なわれたかどうか判別することができる。また、塞ぎ板は、柔軟性を有し、摘み部から揺動軸線に近づくにつれて板厚が徐々に薄く形成されているので、開封操作によって、摘み部を突出させた後、さらに立て起こし、摘み部を摘み易くすることができる。また、塞ぎ板が柔軟性を有しているので、開封操作によって塞ぎ板を欠損させることなく塞ぎ部材を切欠部から取り外すことができる。
【００１４】
また、収納部に収められるディスクのセンターホールに収納部側から装着される封止片をさらに備える盗難防止ピース付ディスクケースによれば、切欠部が塞がれると共にディスクのセンターホールも塞がれる。つまり、ディスクを取り出すために指を掛けられる部分が無くなるので、ディスクを収納部から容易に取外すことができない。したがって、より確実にディスクの盗難を防止することができる。
【００１５】
本発明に係る盗難防止ピース付ディスクケースを備える刊行物は、ディスク盗難防止ピースを取外す開封操作をしない限りディスクを取外すことができない。したがって、ディスクを抜き取られる心配がないので、刊行物を自由に閲覧できるようにした状態で店頭に置くことができ、購入希望者が刊行物の部分を自由に閲覧することを妨げない。また、購入者は、開封操作によってディスク盗難防止ピースを取外すことで、ディスクを簡単に取り出せるようになるとともに、ディスクケースをディスクの保存場所として使用することができる。
【発明を実施するための最良の形態】
【００１６】
本発明に係る一実施形態の盗難防止ピース付ディスクケースについて、製本された図書１００の一部に形成されているディスクケース１を例に、図１から図９を参照して説明する。図１に示すディスクケース１は、収納部２と保持爪３ａ，３ｂ，３ｃと切欠部４とディスク盗難防止ピース５とを備えている。
【００１７】
切欠部４及びディスク盗難防止ピース５は、収納部２の内側に向かって半径方向に付勢されている保持爪３ａに対してディスク２００を介して対称となる位置に配置されている。ディスク盗難防止ピース５は、図６から図９に示す一連の開封操作によって切欠部４から取除かれる。
【００１８】
収納部２は、図書１００の表紙１０１の内側、いわゆる「表２」または「表３」に相当する紙面１０１ａ側から、ディスク２００の外形に合せて凹設されている。なお、一実施形態において、図書１００の表紙１０１は、ディスクケース１を内包する十分な厚さを有している。収納部２に入れられるディスク２００は、収録された情報を光学式読取り手段で読取られる円板状の情報記録媒体であって、具体的には、コンパクトディスク（ＣＤ）、シングルＣＤ、デジタルビデオディスク（ＤＶＤ）などである。
【００１９】
保持爪３ａ，３ｂ，３ｃは、収納部２の外周縁２ａから中央に向かって突出しており、収納部２に入れられたディスク２００の縁２０１と係合する。一実施形態では、保持爪３ａ，３ｂ，３ｃは、３か所設けられており、そのうちの１つの保持爪３ａは、半径方向に変位するとともに収納部２の内側に向かって付勢されている。これにより、ディスク２００は、収納部２にがたつき無く保持される。切欠部４は、収納部２に納まったディスク２００の縁２０１に指を掛けるべく収納部２の外周縁２ａから収納部２の外側に向かって半径方向に形成されている。
【００２０】
ディスク盗難防止ピース５は、図２および図３に示すように、塞ぎ部材６と係止片７とを備える。塞ぎ部材６は、切欠部４を覆って取外し可能に装着されている。係止片７は、塞ぎ部材６から収納部２の内側に向かって延びており、ディスク２００の縁２０１が収納部２から持ち上がる取出方向の動きを止めている。ディスクケース１は、収納部２とディスク盗難防止ピース５と嵌合する結合片１５を有している。結合片１５は、収納部２の外周縁２ａよりも外側に向い切欠部４の内側面に沿って延びている。結合片１５は、ディスクケース1が広がる平面に沿ってかえし状の係止部１５ａを外側面に有しており、切欠部４の内側面に嵌着する。また、結合片１５は、ディスクケース1が広がる平面に沿って内側面に凹部１５ｂが形成されている。
【００２１】
塞ぎ部材６は、枠部８と塞ぎ板９とを備える。枠部８は、図２に示すように、切欠部４および結合片１５の内面に沿う形に形成されている。結合片１５と隣合う枠部８の外面８ａには、図４に示すように、凹部１５ｂに係合する係止凸部８ｂが設けられている。凹部１５ｂと係止凸部８ｂとが嵌合することによって、塞ぎ部材６は、取出方向Ｒの動きが規制される。なお、凹部１５ｂと係止凸部８ｂとの関係は、逆に形成されていても良い。つまり、結合片１５に係止凸部が形成され、枠部８に凹部が形成されていても良い。
【００２２】
塞ぎ板９は、図３に示すように表紙１０１の内側の紙面１０１ａ寄りで枠部８の開口部１０を遮って設けられている。塞ぎ板９は、ディスク２００の縁２０１に沿う方向の２か所に設けられている傾転部１１によって枠部８の内周面８ｃに支持されている。
【００２３】
２つの傾転部１１を結ぶ揺動軸線１２を境にディスク２００側には、摘み部１３が設けられている。塞ぎ板９の外周９ａにおいて、揺動軸線１２に対して摘み部１３と反対側の端部９ｂは、開封操作によって破断される連結部１４によって枠部８と接続されている。また、塞ぎ板９は、摘み部１３から揺動軸線１２に近づくにつれて板厚が徐々に薄く形成されている。
【００２４】
ディスク盗難防止ピース５を形成する材料は、開封操作によって傾転部１１がねじ切れたり塞ぎ板９に亀裂が走ったりしない程度に柔軟性（靱性）を有し、かつ、摘み部１３を摘んで引抜かなければ取除けない程度に剛性を有していることが好ましい。具体的には、ポリプロピレン、ポリスチレンにゴム性の樹脂を混合させたもの、ポリエチレン、ポリ塩化ビニル、塩化ビニル酢酸ビニル共重合体、ポリメチルメタアクリルレート、ポロメチルスチロール、ポリウレタン、ポリカーボネート、ポリオキシメチレン等を使用することができる。また、ディスク盗難防止ピース５は、射出成形で一体に成形するとより安価に作ることができる。
【００２５】
以上のように構成されたディスクケース１は、図５に示すように結合片１５にディスク盗難防止ピース５が装着されて切欠部４が塞がれる。したがって、収納部２に収められたディスク２００の縁２０１に指を掛けることができない。収納部２とディスク盗難防止ピース５とは、結合片１５によって連結されるので、互いの位置決め精度が良い。また、係止片７は、保持爪３ａに対してディスク２００を挟んで対称となる位置に設けられ、保持爪３ａの変位量よりも長く形成されているので、ディスク２００を付勢力に逆らって保持爪３ａの方向に片寄せても、ディスク２００が収納部２から脱落しない。
【００２６】
つまり、ディスク２００を取出すことができない。また、このディスクケース１は、図書１００の表紙１０１の内側に設けられ、ディスク２００を収納部２から抜き盗り難くしているだけであるので、この状態で図書１００を開いて中を自由に閲覧することができる。このように、ディスク盗難防止ピース５が取り付けられたディスクケース１は、図書１００を閲覧することを妨げることなく、ディスク２００を抜き盗ることを防止することができる。
【００２７】
次に、ディスクケース１の開封操作について図６から図９を参照して説明する。図６に示す状態では、切欠部４は、ディスク盗難防止ピース５によって完全に覆われており、ディスク２００の縁２０１に指を掛けることができない。開封操作は、図７に示すように、まず揺動軸線１２に対してディスク２００から遠い側の塞ぎ板９の端部９ｂを図７の矢印で示すように表紙１０１の板厚方向に指で押し込む。すると、連結部１４が破断され、傾転部１１を支点に塞ぎ板９が傾倒するとともに摘み部１３が枠部８から持ち上がる。持ち上がった摘み部１３を指でさらに図８に示すように立て起す。最後に、摘み部１３を指で摘んで図９に示すようにディスク盗難防止ピース５を切欠部４から引抜く。
【００２８】
このように、図７から９に示した一連の開封操作は、片手で容易に行なえる。また、一度開封されると、連結部１４が破断されるので、未開封のものとの区別は、一目瞭然である。さらに、ディスク盗難防止ピース５は、残渣物を残すことなく切欠部４から完全に取除かれる。また、ディスク盗難防止ピース５は、切欠部４と係合しておらず、収納部２から延びる結合片１５と嵌合している。したがって、ディスク盗難防止ピース５は、引抜いたことで、切欠部４の内周面に傷をつけることがない。切欠部４は、ディスク２００の縁２０１に指を掛けるために設けられる部分であるので、外観を損なうことが無い。そして、開封後においてもディスクケース１は、ディスク２００の保存場所としての機能を損なうことなく、ディスク２００を好ましい状態で保存することができる。
【００２９】
ところで、本実施形態において、ディスク２００は、縁２０１が保持爪３ａ，３ｂ，３ｃで係止されて収納部２に保持されており、ディスク２００の中央に設けられているセンタホール２０２が、開口した状態になっている。そこで、開封されるまでセンタホール２０２にも指を掛けられないように、取外し可能な封止片１６を、図１０に示すように取り付ける。封止片１６は、ハット形に形成されており、収納部２に面する側からディスク２００に装着される。特に、ＤＶＤに装着する封止片１６は、ディスク２００に歪を与えないように、センタホール２０２に対して遊嵌する程度のものが好ましい。このように、封止片１６をセンタホール２０２に装着することによって、さらにディスク２００を収納部２から取出しにくくなり、盗難防止になるので良い。
【００３０】
なお、本実施形態において、切欠部４が複数か所設けられる場合は、各切欠部４に収納部２から延びる結合片１５を設けディスク盗難防止ピース５を取り付ける。また、ディスクを外周でクランプするタイプの収納部２にディスク盗難防止ピース５を装着した盗難防止ピース付ディスクケースを例に説明した。しかしながら、ディスク２００のセンタホール２０２と嵌合するセンタクランプタイプの収納部にディスク盗難防止ピース５を装着した盗難防止ピース付ディスクケースであっても良い。
【００３１】
この場合でも、ディスクケース１は、収納部２の外周縁２ａから外方向に設けられる切欠部４にディスク盗難防止ピース５を取り付けることで、ディスク２００が抜き盗られることを防止することができる。また、摘み部１３は、揺動軸線１２よりもディスク２００から遠い側の塞ぎ板９の一部に設けても良い。この場合、揺動軸線１２よりもディスク２００に近い側の塞ぎ板９の端部を押し込むことで、摘み部１３が枠部８よりも持ち上がるので、これをさらに立て起こし、この摘み部１３を摘んで、ディスク盗難防止ピース５を切欠部４から取外しても良い。
【００３２】
なお、摘み部１３は、当該部を摘んでディスク盗難防止ピース５を取除けるように塞ぎ部材６に形成されていれば、上述のように傾転部１１を結ぶ揺動軸線１２を中心に傾倒する塞ぎ板９以外の形状でも良い。例えば、枠部８に沿ってリングが設けられており、そのリングに指を掛けてディスク盗難防止ピース５を引抜いても良い。
【図面の簡単な説明】
【００３３】
【図１】本発明に係る一実施形態のディスクケースを示す斜視図。
【図２】図１に示したディスク盗難防止ピースの平面図。
【図３】図２中に示したＦ３−Ｆ３に沿うディスク盗難防止ピース周辺の断面図。
【図４】図２中に示したＦ４−Ｆ４に沿う結合片およびディスク盗難防止ピースの断面図。
【図５】図１に示したディスクケースのディスク盗難防止ピース周辺の分解斜視図。
【図６】図１に示したディスク盗難防止ピース及びその周辺を拡大した斜視図。
【図７】図６に示した状態のディスク盗難防止ピースから開封操作によって塞ぎ板の端部を押し込んだ状態の斜視図。
【図８】図７に示した状態のディスク盗難防止ピースからさらに摘み部を立て起こした状態の斜視図。
【図９】図８に示した状態において立て起した摘み部を摘んでディスク盗難防止ピースを切欠き部から取外した状態の斜視図。
【図１０】図１に示したディスクケースに封止片をさらに加えた分解斜視図。
【符号の説明】
【００３４】
１…ディスクケース、２…収納部、２ａ…外周縁、３ａ，３ｂ，３ｃ…保持爪、４…切欠き部、５…ディスク盗難防止ピース、６…塞ぎ部材、７…係止片、８…枠部、９…塞ぎ板、９ａ…外周、１０，１０ａ，１０ｂ…開口部、１１…傾転部、１２…揺動軸線、１３…摘み部、１４…連結部、１５…結合片、１６…封止片、２００…ディスク、２０１…縁、Ｒ…取出方向。
【図１】
2005306422.tif 000003
【図２】
2005306422.tif 000004
【図３】
2005306422.tif 000005
【図４】
2005306422.tif 000006
【図５】
2005306422.tif 000007
【図６】
2005306422.tif 000008
【図７】
2005306422.tif 000009
【図８】
2005306422.tif 000010
【図９】
2005306422.tif 000011
【図１０】
2005306422.tif 000012